(57)【要約】      （修正有）【課題】サルカンの回動軸に負荷する微弱な回転や引き力や、強力な回動や引き力を無差別に感度良く反応するボールベアリング付きサルカンを提供する。【解決手段】ボールベアリング付きサルカンＡにおいて、ケース体７を具備し、段付きでの回動軸１はボール受け座４を介してなる太軸ボールベアリング３装着の太軸３ａとクッション受け座５とクッション体６を近傍する細軸ボールベアリング２を装着した、段違いの細軸２ａとで構成する。【選択図】図１
0003162163.tif 000002
【実用新案登録請求の範囲】
【請求項１】
ボールベアリング式サルカンＡにおいて、例えばハリス側Ｂに連結する回動軸１が細軸ボールベアリング２で小荷重Ｐに反応し、太軸ボールベアリング３が大荷重ＰＰに反応し、更に、回動軸１の引きの移動で、該回動軸１に設けたボール受け座４とクッション押し座５が移動し、細軸ボールベアリング２に近接でなるクッション体６が縮小し、太軸ボールベアリング２の回動を可能にしたことを特徴とする、ボールベアリング付きサルカン。
【請求項２】
前記する回動軸１を細軸ボールベアリング２０と太軸ボールベアリング３０のそれぞれ分割での回動軸１０、１０ａにし、更に、細軸ボールベアリング２からクッション体４を除去し、ケース体７の両サイドにそれぞれの回動軸１０，１０ａを設けたことを特徴とする請求項１記載のボールベアリング付きサルカン。
【考案の詳細な説明】
【技術分野】
【０００１】  この考案は、釣り針の餌を水中に投げ込む際や、投げ込まれた仕掛けが水中で潮の流れの激流に動き回り糸に絡まったり、或は釣れた魚の釣り上げ時の逃げ回りで、釣り糸のよじれやもつれで、思いがけない糸切れで魚を逃してしまう等のトラブルを防ぎ、且つ仕掛けの用具の取り替えを簡単にする為に用いられる、釣り用サルカンの改良に関し、更に詳しくは、例えば、サルカン本体の回動軸側に多様に負荷する魚の引っ張や回動荷重で、常時スムーズな回動の得られる、即ち、大物魚の強大負荷での引き時の回動から小物魚の微弱な引き時の回動まで無差別に反応し、スムーズな回動の得られる、ボールベアリング付きサルカンの改良に関する。
【背景技術】
【０００２】  この種の従来の技術として知られるボールベアリング付きサルカンは、本体が合成樹脂製でなる分割構成で、ケース体と其のケース体の開口部に嵌め合い係合固着可能なリング付きの蓋体とで構成し、そのケース体の収納部のフラットな側面に設けた軸孔に貫通して回動する端部に設けた孔にリングを通してなる回動軸は抜け止め用円板体と共に回動する構成で、其れに負荷する回動力が作用する際に、これらの円板体の側面と収納部に開口する軸孔の側面との接触面に発生する摩擦抵抗を低減し、スムーズに回動するために、双方の接触隙間に、所定の大きさのボールベアリングを回動自在に装備可能なスペースを設定し、これらの回転軸の端部に設けた孔にリングを通してなる、ボールベアリング付きサルカンが提供されている。（特許文献１参照）また、これらの他にもボールベアリング付きサルカンの考案が開示され知られる。（実用新案文献２参照）【０００３】
【特許文献１】出願番号特願２００８−３１７６６８号
【０００４】
【実用新案文献２】
実用新案登録第３１５４２３６号
【考案の開示】
【考案が解決しようとする課題】
【０００５】  しかしながら、上記する従来技術での特許文献１でのボールベアリン付きグサルカンもまた、実用新案文献２でのボールベアリング付きサルカンの何れにおいても、ボールベアリングを使う事で、サルカンの具備する回動軸がスムーズに安定した回転が得られる工夫での構成を具現化しているが、釣り場での狙いとする魚の釣り上げによって、サルカンのサイズを決定しない限り、大物魚や小物魚での釣りの仕掛けで、堅剛な太い回動軸のサイズのサルカンや回動軸の細いサルカンの使い別けをしなければならない等の課題がある。【０００６】  この様に狙いとする魚の種類と仕掛けるサルカンのサイズを合せない限り、サルカンの回動を阻害するだけでなくサルカンの破損などを誘発し、釣果を上げることが出来ないなどの課題を残す事になる。そんなことから、狙いとする魚の種類の大物魚や小物魚でのサルカンを選択することなく無差別に使える低荷重で反応し、且つ、高荷重でも破損などの誘発しないボールベアリング付きサルカンが広く要望されていた。
【課題を解決するための手段】
【０００７】  この考案は、係る課題を解決する為に、請求項１での考案は、図１と図２での縦断面図で述べるに、ボールベアリング付きサルカンＡにおいて、例えば、ハリス側Ｂに連結する回動軸１が細軸ボールベアリング２が小荷重Ｐに反応し、太い軸ボールベアリング３が大荷重ＰＰに反応し、更に、回動軸１の引きの移動で、該回動軸１に設けたボール受け座４とクッション押し座５が移動し、細軸ボールベアリング２に近接でなるクッション体６が縮小し、太軸ボールベアリング２の回動を可能な構成とする。更にまた、請求項２での縦断面図で述べるに、前記する回動軸１を細軸ボールベアリング２０と太軸ボールベアリング３０のそれぞれ分割での回動軸１０，１０ａにし、更に、細軸ボールベアリング２からクッション体４を徐去し、ケース体７の両サイドにそれぞれ回動軸１０，１０ａを設けての構成とする。
【考案の効果】
【０００８】  本考案は、上述の通り構成作用するので、次の優れた効果を奏する。即ち、請求項１の考案での効果は、低荷重に反応する回動滑動摩擦抵抗の小さいボールベアリングと其れに並列で配置した高負荷に反応する回動滑動摩擦抵抗の大きいボールベアリングがクッション体を介し相互が連動しながら２段軸構成で小物魚も大物魚も１つのサルカン機能に依って無差別負荷に反応する、ボールベアリング付きサルカンを提供出来る。【０００９】  次に、請求項２での考案での効果は、分割でなる低荷重に反応する回動軸を道糸側に接続し、高荷重に反応する回動軸をハリス側に接続するなどで、双方の回動軸が同時に作動する無差別負荷に反応するボールベアリング付きサルカンを提供出来る。
【考案を実施するための最良の形態】
【００１０】  以下に図示の実施例に基づいて本発明を更に詳細に説明する。即ち、図１と図２は本考案での第１実施例に基づく縦断面図で、図１は低負荷に反応しての使用例を述べ、図２は高負荷に反応しての使用例を述べるが、ボールベアリング付きサルカンＡにおいて、ケース体７の片方の端部が例えば道糸側ＢＢに接続され、他方の端部に突き出る回動自在でなる１本の細長い回動軸１が例えばハリス側Ｂに接続されるが、これらは、２段式のボールベアリングを並列して内蔵し、太軸ボールベアリング３は大きいボールが太軸３ａの周りに、其の太軸３ａに一体化でなるボール受け座４とケース体７の内側面の適度な隙間に挟まれ保持され、細軸ボールベアリング２は小さいボールが細軸２ａの周りに、其の細軸２ａに緩く貫通してなるボール受け座４と軸受け座４ａの程よい隙間に挟まれ保持される。【００１１】  そして、前記する細軸ボールベアリング２は更に、細軸２ａに緩やかに貫通するボール受け座４と其れに並んで一体化するクッション受け座５との適度な隙間にゴム材での伸縮性のクッション体６が装備され、ハリス側Ｂに釣り場での魚の負荷する小荷重Ｐの引きと回動に反応し、細軸ボールベアリング２がスムーズに作動し、太軸ボールベアリング３は作動すること無く空転し小物魚の軽い動きに効果的に作動し、大物魚での大荷重ＰＰの引きに反応してクッション受け座５によってクッション体６を縮小させながら太軸３ａに一体化でなるボール受け座４を大きいボールに接合することで、太軸ボールベアリング３が細軸ボールベアリング２と同時に反応しスムーズに回動することで、サルカンのサイズを狙いの大小に関係なく、一つのサルカンの仕掛けで小物釣りと大物釣りの何れでも感度良くスムーズに反応する構成である。【００１２】  次に、図３は本考案での第２実施例に基づく縦断面図で述べるが、前記する回動軸１を細軸ボールベアリング２０と太軸ボールベアリング３０のそれぞれ分割での回動軸１０、１０ａにし、更に、細軸ボールベアリング２からクッション体４を除去し、ケース体７の両サイドにそれぞれの回動軸１０，１０ａを設ける構成とし、道糸側ＢＢの細軸ボールベアリング２０は小荷重に反応し、太軸ボールベアリング３０はハリス側Ｂに、或は、その逆での接続することで、無差別に１つの仕掛けでの小物釣りと大物釣りの何れでも感度良くスムーズに反応する構成である。
【図面の簡単な説明】
【００１３】
【図１】  本考案に係わる第１実施例での縦断面図である。
【図２】  本考案に係わる第１実施例での他の形態での縦断面図である。
【図３】  本考案に係わる第２実施例での縦段面である。
【符合の説明】
【００１４】Ａ              ボールベアリング付きサルカン
Ｂ              ハリス側
ＢＢ            道糸側
ｐ              小荷重
ＰＰ            大荷重
１０，１０、１０ａ  回動軸
２，２０        細軸ボールベアリング
２ａ            細軸
３、３０        太軸ボールベアリング
３ａ            太軸
４              ボール受け座
４ａ            軸受け座
５              クッション受け座
６              クッション体
７              ケース体
【図１】
0003162163.tif 000003
【図２】
0003162163.tif 000004
【図３】
0003162163.tif 000005
【手続補正書】
【提出日】平成22年4月26日(2010.4.26)
【手続補正１】
【補正対象書類名】実用新案登録請求の範囲
【補正対象項目名】全文
【補正方法】変更
【補正の内容】
【実用新案登録請求の範囲】
【請求項１】
ボールベアリング付きサルカン（Ａ）において、ケース体（７）を具備し、段付きでの回動軸（１）はボール受け座（４）を介してなる太軸ボールベアリング（３）を装着した太軸（３ａ）と、クッション受け座（５）とクッション体（６）を近傍する細軸ボールベアリング（２）を介してなる段違いの細軸（２ａ）とで構成し、ハリス側（Ｂ）に接続する当該回動軸（１）に負荷する小荷重Ｐに反応し、滑動抵抗の少ない細軸（２ａ）に装着する細軸ボールベアリング（２）が作動し、過剰な大荷重ＰＰに反応して細軸（２ａ）に設けたクッション体（６）の伸縮の働きで太軸（３ａ）に装着する太軸ボールベアリング（３）を作動開始可能にしたことを特徴とするボールベアリング付きサルカン。
【請求項２】
前記する段付き回動軸（１）の太軸（３ａ）と細軸（２ａ）を夫々分割し、太軸ボールベアリング（３）を装着する太軸（３ａ）と細軸ボールベアリング（２）を装着する細軸（２ａ）の２軸にし、且つ前記するクッション受け座（５）とクッション体（６）を除去した細軸（２ａ）にしたことを特徴とする請求項１記載のボールベアリング付きサルカン。